(57)【要約】      （修正有）【課題】検知手段と電装品箱を接続するリード線を短くするまたは無くす。【解決手段】空気調和機の室内機は、熱交換器の下方において凝縮水を貯留するドレンパン１１と、ドレンパン１１に溜まった凝縮水を排出するドレンポンプ９と、ドレンパン１１内の水面高さを検知する検知手段２０と、電装品を収容する電装品箱５とを備えており、検知手段２０は、ドレンパン１１内の水面高さの変化に伴って上下方向に移動するフロート２１と、フロート２１の移動に伴って移動する移動体２２と、ドレンパン１１の外において移動体２２との距離に基づいて移動体２２を検知する近接スイッチ２５とを有する。【選択図】図４
2013092304.tif 000002
【特許請求の範囲】
【請求項１】
熱交換器と、前記熱交換器の下方において凝縮水を貯留するドレンパンと、前記ドレンパンに溜まった凝縮水を排出するドレンポンプと、前記ドレンパン内の水面高さを検知する検知手段と、電装品を収容する電装品箱とを備えた空気調和機の室内機であって、
前記検知手段は、
前記ドレンパン内の水面高さの変化に伴って上下方向に移動するフロートと、
前記フロートの移動に伴って移動する移動体と、
前記ドレンパンの外において前記移動体との距離に基づいて移動体を検知する近接スイッチとを有することを特徴とする空気調和機の室内機。
【請求項２】
前記電装品箱が、前記フロートに対して前記近接スイッチ側に配置されていることを特徴とする請求項１に記載の空気調和機の室内機。
【請求項３】
前記近接スイッチが、
電装品を収容する電装品内に配置されていることを特徴とする請求項２に記載の空気調和機の室内機。
【請求項４】
前記近接スイッチが、
前記電装品内の回路基板上に配置されていることを特徴とする請求項３に記載の空気調和機の室内機。
【発明の詳細な説明】
【技術分野】
【０００１】
本発明は、ドレンパンを有する空気調和機の室内機に関する。
【背景技術】
【０００２】
従来から、空気調和機の室内機として、熱交換器と、熱交換器の下方に配置されて凝縮水（ドレン水）を貯留するドレンパンと、ドレンパン内の凝縮水を排出するドレンポンプと、ドレンパン内の水面高さを検知する検知手段とを備えるものが知られている。この室内機では、ドレンポンプの故障やドレン配管の詰まり等によって凝縮水を排出できなくなり、ドレンパン内の水面高さが上昇した場合に、検知手段によって異常を検知して、運転を中止するようになっている。
【０００３】
例えば特許文献１の室内機では、検知手段として、電磁式のフロートスイッチを備えている。このフロートスイッチは、ドレンパン内の水面高さの変化に応じて上下動するフロートと、上下方向に延びておりフロートの移動をガイドするガイド軸と、フロートの上方に配置されたスイッチ本体とを有している。スイッチ本体の上端にはリード線が接続されている。特許文献１では、ケーシングの壁部に沿ってリード線を配置する従来の構成よりもリード線の長さを短くするために、ドレンパンの底部にリード線を貫通させている。
【先行技術文献】
【特許文献】
【０００４】
【特許文献１】特開２００１−１７３９８１号公報
【発明の概要】
【発明が解決しようとする課題】
【０００５】
しかしながら、特許文献１の室内機では、フロートスイッチの上端に接続されたリード線を、ドレンパンの底部に貫通させているため、リード線はある程度の長さが必要となる。
また、リード線が接続される電装品箱をフロートスイッチの横に配置して、リード線をドレンパンの底部に貫通させずに電装品箱に接続するとしても、スイッチ本体はフロートの上方に配置されるため、電装品箱に近接して配置することができない。そのため、この場合もリード線はある程度の長さが必要となる。
【０００６】
そこで、本発明は、検知手段と電装品箱を接続するリード線を短くまたは無くすことができる空気調和機の室内機を提供することを目的とする。
【課題を解決するための手段】
【０００７】
第１の発明に係る空気調和機の室内機は、熱交換器と、前記熱交換器の下方において凝縮水を貯留するドレンパンと、前記ドレンパンに溜まった凝縮水を排出するドレンポンプと、前記ドレンパン内の水面高さを検知する検知手段と、電装品を収容する電装品箱とを備えた空気調和機の室内機であって、前記検知手段は、前記ドレンパン内の水面高さの変化に伴って上下方向に移動するフロートと、前記フロートの移動に伴って移動する移動体と、前記ドレンパンの外において前記移動体との距離に基づいて移動体を検知する近接スイッチとを有することを特徴とする。
【０００８】
この空気調和機の室内機では、近接スイッチはドレンパンの外に配置されるため、電装品箱をフロートに対して近接スイッチ側に配置することができ、近接スイッチを電装品箱の近傍または電装品箱内に配置できる。そのため、近接スイッチと電装品箱内の回路基板とを接続するリード線を短くまたは無くすことができる。
【０００９】
第２の発明の空気調和機の室内機は、第１の発明において、前記電装品箱が、前記フロートに対して前記近接スイッチ側に配置されていることを特徴とする。
【００１０】
この空気調和機の室内機では、電装品箱がフロートに対して近接スイッチ側に配置されているため、近接スイッチを電装品箱の近傍または電装品箱内に配置できる。
【００１１】
第３の発明の空気調和機の室内機は、第２の発明において、前記近接スイッチが、電装品を収容する電装品内に配置されていることを特徴とする。
【００１２】
この空気調和機の室内機では、近接スイッチが電装品箱内に配置されているため、近接スイッチと電装品箱内の回路基板とを接続するリード線を短くまたは無くすことができる。
【００１３】
第４の発明の空気調和機の室内機は、第３の発明において、前記近接スイッチが、前記電装品内の回路基板上に配置されていることを特徴とする。
【００１４】
この空気調和機の室内機では、近接スイッチが電装品箱内の回路基板上に配置されているため、近接スイッチと電装品箱内の回路基板とを接続するリード線を設けなくて済む。
【発明の効果】
【００１５】
以上の説明に述べたように、本発明によれば、以下の効果が得られる。
【００１６】
第１の発明では、近接スイッチはドレンパンの外に配置されるため、電装品箱をフロートに対して近接スイッチ側に配置することができ、近接スイッチを電装品箱の近傍または電装品箱内に配置できる。そのため、近接スイッチと電装品箱内の回路基板とを接続するリード線を短くまたは無くすことができる。
【００１７】
第２の発明では、電装品箱がフロートに対して近接スイッチ側に配置されているため、近接スイッチを電装品箱の近傍または電装品箱内に配置できる。
【００１８】
第３の発明では、近接スイッチが電装品箱内に配置されているため、近接スイッチと電装品箱内の回路基板とを接続するリード線を短くまたは無くすことができる。
【００１９】
第４の発明では、近接スイッチが電装品箱内の回路基板上に配置されているため、近接スイッチと電装品箱内の回路基板とを接続するリード線を設けなくて済む。
【図面の簡単な説明】
【００２０】
【図１】本発明の第１実施形態に係る空気調和機の室内機の斜視図である。
【図２】図１のII−II線断面図である。
【図３】図１の室内機から化粧パネルとフィルタを取り外した状態を下方から見た図である。
【図４】図３のIV−IV線断面図であって、ドレンパン内の水面高さが正常な場合の図である。
【図５】図３のIV−IV線断面図であって、ドレンパン内の水面高さが異常な場合の図である。
【図６】本発明の第２実施形態に係る空気調和機の室内機の斜視図である。
【図７】図６のVII−VII線断面図である。
【図８】図６の室内機から化粧パネルとフィルタを取り外した状態を下方から見た図である。
【図９】図８のIX−IX線断面図であって、ドレンパン内の水面高さが正常な場合の図である。
【図１０】本発明の他の実施形態に係る空気調和機の室内機の部分断面図である。
【００２１】
＜第１実施形態＞
以下、本発明の第１実施形態について説明する。
図１に示すように、本実施形態の空気調和機の室内機１は、天井埋込型の室内機である。室内機１は、建物の室外に設置される図示しない室外機と共に空気調和機を構成する。なお、以下の説明において、室内機１を天井に設置した状態における上下方向を単に上下方向と称する。
【００２２】
室内機１は、下側が開口した直方体状のケーシング１０と、ケーシング１０の下端に取り付けられたドレンパン１１と、ドレンパン１１の下端に取り付けられた化粧パネル１２と、これらの内側に配置されたファン２、熱交換器７、ドレンパン１１、ドレンポンプ９（図３および図４参照）、検知部２０（図４参照）、および電装品箱５を備えている。
【００２３】
ケーシング１０は、平面視が略正方形状であって、ケーシング１０の外周面には、ケーシング１０を天井裏に設置する際に使用される固定金具１０ａが設けられている（図１および図３参照）。
【００２４】
化粧パネル１２は、その中央部に略正方形状の吸込口１２ａを有し、吸込口１２ａの周囲に４つの吹出口１２ｂを有する。吸込口１２ａの内側には格子状パネル１３が配置されている。また、吸込口１２ａの上方には、空気に含まれる塵埃等を除去するためのフィルタ１４が配置されている。吹出口１２ｂは、細長い長方形状の開口であって、その内側には揺動可能な水平フラップ１５が配置されている。
【００２５】
ファン２は、フィルタ１４の上方に配置されている。ファン２は、ターボファンであって、ケーシング１０の天面中央に取り付けられたファンモータ３によって回転駆動される。ファンモータ３の駆動により、室内空気が吸込口１２ａを通ってファン２の下部（軸方向一端）に吸い込まれて、ファン２の径方向外側から吹き出される。
【００２６】
ファン２の下方には、吸込口１２ａから流入した室内空気をファン２の下部へ案内するベルマウス４が配置されている。ベルマウス４の下端部（外周側端部）には、凹部４ａが形成されており、この凹部４ａに電装品箱５が設置される。電装品箱５には、運転制御等に使用される回路基板６やその他の電装品が収納されている。
【００２７】
図３に示すように、熱交換器７は、ファン２の外周を囲むように曲げられたクロスフィンチューブ型の熱交換器パネルで構成されている。熱交換器７は、冷媒配管８ａ、８ｂを介して、屋外等に設置された室外機（図示せず）に接続されている。冷媒配管８ａ、８ｂは、ケーシング１０の角部に配置されている。熱交換器７は、冷房運転時には内部を流れる冷媒の蒸発器として、暖房運転時には内部を流れる冷媒の凝縮器として機能する。これにより、熱交換器７は、ファン２から吹き出された空気と熱交換を行って、冷房運転時には空気を冷却し、暖房運転時には空気を加熱する。熱交換器７を通過した空気は、吹出口１２ｂから室内に吹き出される。
【００２８】
ドレンパン１１は、冷房運転時に熱交換器７において空気中の水分が凝縮されて生じる凝縮水を受けるために設けられている。ドレンパン１１は、熱交換器７の下方に配置され、ケーシング１０の下端に取り付けられている。ドレンパン１１の中央部には、ベルマウス４が装着される略円形状の孔が形成されている。また、ドレンパン１１は、化粧パネル１２の吹出口１２ｂと連通するように形成された４つの吹出孔１１ａと、凝縮水を貯留する水受け溝１１ｂを有する。この水受け溝１１ｂの内側に、熱交換器７が配置される。
【００２９】
ドレンポンプ９は、ドレンパン１１の水受け溝１１ｂに溜まった凝縮水を排出するためのものである。ドレンポンプ９は、ケーシング１０の冷媒配管８ａ、８ｂが配置されている角部に隣り合う角部に配置され、ケーシング１０の側壁に取り付けられている。
【００３０】
検知部２０は、ドレンパン１１の水受け溝１１ｂの水面高さを検知するために設けられている。検知部２０は、フロート２１と、移動体２２と、電装品箱５内に収容された近接スイッチ２５とを有する。
【００３１】
フロート２１は、ドレンパン１１の水受け溝１１ｂ内に配置されており、水受け溝１１ｂ内に溜められた水に浮くことができる。フロート２１は、アーム２３の一端に連結されており、このアーム２３は、水受け溝１１ｂの電装品箱５側の側壁に設けられた支持部材２４に回転可能に支持されている。移動体２２は、磁石で構成されている。移動体２２は、アーム２３の他端に連結され、ドレンパン１１の外（ドレンパン１１の内周縁より内側）に配置されている。水受け溝１１ｂの水面高さの変化に伴って、フロート２１は支持部材２４の軸を中心に上下方向に揺動する。これに伴って、移動体２２はフロート２１と反対側に上下方向に揺動する。
【００３２】
近接スイッチ２５は、電装品箱５内の回路基板６の上に配置されている。近接スイッチ２５は、移動体２２が下方に移動したときに、ベルマウス４および電装品箱５の壁部を挟んで対向する位置に配置されている。近接スイッチ２５は、移動体２２との距離に基づいて移動体２２を検知する。
【００３３】
図４に示すように、水受け溝１１ｂ内の水面高さが正常であって、近接スイッチ２５と移動体２２との離間距離が所定値以上の場合には、近接スイッチ２５はオフ状態となる。また、図５に示すように、水受け溝１１ｂ内の水面高さが異常（正常レベルより高く）になり、近接スイッチ２５と移動体２２との離間距離が所定値より小さい場合には、近接スイッチ２５はオン状態となる。室内機１は、近接スイッチ２５がオン状態になると、運転を停止する。
【００３４】
本実施形態の空気調和機の室内機１では、近接スイッチ２５がドレンパン１１の外に配置されるため、電装品箱５をフロート２１に対して近接スイッチ側に配置することができ、近接スイッチ２５を電装品箱５の近傍に配置できる。本実施形態では、近接スイッチ２５が、電装品箱５内の回路基板６上に配置されているため、近接スイッチ２５と電装品箱５内の回路基板６とを接続するリード線を設けなくて済む。
【００３５】
＜第２実施形態＞
次に、本発明の第２実施形態について説明する。
図６に示すように、本実施形態の空気調和機の室内機１０１は、第１実施形態の室内機１と同じく、天井埋込型の室内機であって、建物の室外に設置される図示しない室外機と共に空気調和機を構成する。
【００３６】
室内機１０１は、下側が開口した直方体状のケーシング１１０と、ケーシング１１０の下端に取り付けられたドレンパン１１１と、ドレンパン１１１の下端に取り付けられた化粧パネル１１２と、これらの内側に配置されたファン１０２、熱交換器１０７、ドレンパン１１１、ドレンポンプ１０９（図８および図９参照）、検知部２０（図９参照）、および電装品箱１０５を備えている。のケーシング１１０を有する。
【００３７】
ケーシング１１０は、平面視が長方形状であって、ケーシング１１０の外周面には、ケーシング１１０を天井裏に設置する際に使用される固定金具１１０ａが設けられている（図６および図８参照）。
【００３８】
化粧パネル１１２は、その中央部に２つの吸込口１１２ａを有し、吸込口１１２ａの両側に４つの吹出口１１２ｂを有する。吸込口１１２ａおよび吹出口１１２ｂは、ケーシングの長手方向に細長い矩形状の開口である。吸込口１１２ａの上方には、フィルタ１１４が配置されている。吹出口１１２ｂの内側には揺動可能な水平フラップ１１５が配置されている。
【００３９】
ファン１０２は、フィルタ１１４の上方に設置されている。ファン１０２は、２つのシロッコファンで構成されており、ファンモータ１０３（図８参照）によって回転駆動される。ファンモータ１０３の駆動により、室内空気が吸込口１１２ａを通ってファン１０２の下部に吸い込まれて、ファン１０２の上部に設けられた吹出口から吹き出される。ファン１０２の周囲には、吸込口１１２ａからケーシング１１０内に流入した室内空気をファン１０２に案内するためのカバー１０４が配置されている。
【００４０】
熱交換器１０７は、ファン１０２の両側にファン１０２の軸方向に沿って配置された２つのクロスフィンチューブ型の熱交換器パネルで構成されている。熱交換器１０７は、冷媒配管１０８ａ、１０８ｂを介して、屋外等に設置された室外機（図示せず）に接続されている。冷媒配管１０８ａ、１０８ｂは、ケーシング１１０の長手方向一端側に配置されている。熱交換器１０７は、冷房運転時には内部を流れる冷媒の蒸発器として、暖房運転時には内部を流れる冷媒の凝縮器として機能する。
【００４１】
ドレンパン１１１は、熱交換器１０７の下方に配置され、ケーシング１１０の下端に取り付けられている。ドレンパン１１１の中央部には、カバー１０４が装着される孔が形成されている。また、ドレンパン１１１は、化粧パネル１１２の吹出口１１２ｂと連通するように形成された２つの吹出孔１１１ａと、凝縮水を貯留する２つの水受け溝１１１ｂを有する。この水受け溝１１１ｂの内側に、熱交換器１０７が配置される。
【００４２】
ドレンポンプ１０９は、ドレンパン１１１の水受け溝１１１ｂに溜まった凝縮水を排出するためのものである。ドレンポンプ１０９は、ケーシング１１０の冷媒配管１０８ａ、１０８ｂが配置されている側の角部に配置され、ケーシング１１０の側壁に取り付けられている。
【００４３】
電装品箱１０５は、ファン１０２の軸方向一端側（冷媒配管１０８ａ、１０８ｂ側）に配置され、カバー１０４に設置されている。
【００４４】
検知部２０は、ドレンパン１１１の水受け溝１１１ｂの水面高さを検知するために設けられている。図９に示すように、検知部２０は、フロート２１と、移動体２２と、電装品箱１０５内に収容された近接スイッチ２５とを有する。
【００４５】
フロート２１は、ドレンパン１１１の水受け溝１１１ｂ内に配置されており、水受け溝１１１ｂ内に溜められた水に浮くことができる。フロート２１と移動体２２とを連結するアーム２３の略中央部は、水受け溝１１１ｂの電装品箱１０５側の側壁に設けられた支持部材２４に回転可能に支持されている。移動体２２は、ドレンパン１１１の外（ドレンパン１１１の内周縁より内側）に配置されている。水受け溝１１１ｂの水面高さの変化に伴って、フロート２１は支持部材２４の軸を中心に上下方向に揺動する。これに伴って、移動体２２はフロート２１と反対側に上下方向に揺動する。
【００４６】
近接スイッチ２５は、電装品箱１０５内の回路基板１０６の上に配置されている。近接スイッチ２５は、移動体２２が下方に移動したときに、カバー１０４および電装品箱１０５の壁部を挟んで対向する位置に配置されている。近接スイッチ２５は、移動体２２との距離に基づいて移動体２２を検知する。
【００４７】
図９に示すように、水受け溝１１１ｂ内の水面高さが正常であって、近接スイッチ２５と移動体２２との離間距離が所定値以上の場合には、近接スイッチ２５はオフ状態となる。また、水受け溝１１１ｂ内の水面高さが異常（正常レベルより高く）になり、近接スイッチ２５と移動体２２との離間距離が所定値より小さい場合には、近接スイッチ２５はオン状態となる。室内機１０１は、近接スイッチ２５がオン状態になると、運転を停止する。
【００４８】
本実施形態の空気調和機の室内機１０１によると、第１実施形態で述べた効果と同様の効果を得ることができる。
【００４９】
以上、本発明の好適な実施の形態について説明したが、本発明は上述の実施形態に限られるものではなく、特許請求の範囲に記載した限りにおいて様々な変更が可能なものである。
【００５０】
上記第１および第２実施形態では、近接スイッチ２５は、電装品箱内の回路基板上に配置されているが、この構成に限定されない。
例えば、近接スイッチは、電装品箱内に配置されて、電装品箱内の回路基板とリード線を介して接続されていてもよい。
また、例えば図１０に示すように、近接スイッチ２２５が、電装品箱５の外に配置されて、電装品箱５内の回路基板６とリード線２２５ａを介して接続されていてもよい。
なお、近接スイッチを電装品箱の外に配置する場合、近接スイッチは、フロートの電装品箱側に配置する。
【００５１】
上記第１および第２実施形態の近接スイッチ２５は、電磁式であるが、電磁式でなくてもよい。この場合、移動体２２は、近接スイッチに対応するものであって、必ずしも磁石でなくてよい。
【００５２】
検知部２０は、第１実施形態および第２実施形態で示す構成以外の室内機にも適用可能である。
【産業上の利用可能性】
【００５３】
本発明を利用すれば、検知手段と電装品箱を接続するリード線を短くまたは無くすことができる。
【符号の説明】
【００５４】
１、１０１  空気調和機の室内機
５、１０５  電装品箱
６、１０６  回路基板
７、１０７  熱交換器
９、１０９  ドレンポンプ
２０  検知部（検知手段）
２１  フロート
２２  移動体
２５、２２５  近接スイッチ
２２５ａ  リード線
【図１】
2013092304.tif 000003
【図２】
2013092304.tif 000004
【図３】
2013092304.tif 000005
【図４】
2013092304.tif 000006
【図５】
2013092304.tif 000007
【図６】
2013092304.tif 000008
【図７】
2013092304.tif 000009
【図８】
2013092304.tif 000010
【図９】
2013092304.tif 000011
【図１０】
2013092304.tif 000012